(57)【要約】【課題】様々ながん患者血清中に存在するがん抗原特異的なＩｇＧ抗体価を定量し、標準化するための測定方法を提供すること。【解決手段】本標準化方法は検体のＩｇＧを段階希釈するのではなく、捕獲側抗体を段階希釈し、高濃度（飽和量の）ヒトＩｇＧを検体添加の段階で用いることにより捕獲抗体をヒトＩｇＧで飽和させ、検出側抗体との交差反応性、およびＩｇＧ混入による影響を無視できるようにした。まず固相化抗原と血清中抗体の複合体を模倣するために、抗原の代わりに固相化された抗ヒト抗体と精製ヒトＩｇＧの反応を用いる。この際、固相化された抗ヒト抗体に精製ヒトＩｇＧの濃度系列物を添加するのではなく、抗ヒト抗体の濃度系列を作製し固相化したものに過剰量の精製ヒトＩｇＧを添加し飽和させた複合体を生成させる。この操作は、後で用いる酵素標識抗ヒト抗体と固相化抗ヒト抗体の交差反応によるバックグラウンドの上昇を避けるためである。【選択図】図１
2010237126.tif 000002
【特許請求の範囲】
【請求項１】
以下の工程を備えた抗原特異的な抗体価の標準化された測定方法。
（１ａ）抗原の代わりに使用する抗ヒト抗体を段階希釈し、抗ヒト抗体の濃度系列を作製して、各々固相化した複数の捕獲側抗体プレートを調製する工程； 
（１ｂ）抗原タンパク質を固相化した複数の抗原固定プレートを調製する工程；
（２ａ）過剰量（飽和量）のヒトＩｇＧを用いることにより、工程（１ｂ）で調製した捕獲側抗体プレート上の捕獲側抗体をヒトＩｇＧで飽和させ、洗浄してヒトＩｇＧ−捕獲側抗体複合体を調製する工程； 
（２ｂ）段階希釈したサンプルを、工程（１ａ）で調製した抗原固定プレートに接触させ、サンプル中の標的抗体を抗原タンパク質と反応させ、洗浄して標的抗体−抗原複合体を調製する工程；
（３ａ）工程（１ｂ）で使用した抗ヒト抗体とエピトープを異にした抗ヒト抗体を標識した酵素標識抗ヒト抗体を、工程（２ａ）で調製したヒトＩｇＧ−捕獲側抗体複合体と反応させ、洗浄して酵素標識抗ヒト抗体−ヒトＩｇＧ−捕獲側抗体複合体を調製する工程；
（３ｂ）工程（３ａ）で使用した酵素標識抗ヒト抗体を、工程（２ｂ）で調製した標的抗体−抗原複合体と反応させ、洗浄して酵素標識抗ヒト抗体−標的抗体−抗原複合体を調製する工程；
（４ａ）工程（３ａ）で調製した酵素標識抗ヒト抗体−ヒトＩｇＧ−捕獲側抗体複合体に基質を添加して反応後、吸光度を測定し、捕獲側抗体と吸光度との標準曲線を作成する工程；
（４ｂ）工程（３ｂ）で調製した酵素標識抗ヒト抗体−標的抗体−抗原複合体に基質を添加して反応後、吸光度を測定し、吸光度の測定結果と工程（４ａ）で作成した標準曲線から、サンプル中の標的抗体の抗体価を定量する工程；
【請求項２】
サンプル中の標的抗体が、血清中に存在するがん抗原又は感染症を惹起しうる病原体由来の抗原に特異的なＩｇＧ抗体であることを特徴とする請求項１記載の測定方法。
【発明の詳細な説明】
【技術分野】
【０００１】
本発明は、生体試料に含まれる抗原特異的なＩｇＧ抗体力価を標準化して測定する方法に関する。
【背景技術】
【０００２】
以前より担がん患者の血清中には多くのがん抗原（ｐ５３、ＣＥＡ、ＭＵＣ１など）に対する自家抗体（auto-antibody）の存在を示唆する報告がこれまでになされている（非特許文献１〜３）。特にＰ５３に対する自家抗体の検出は、さまざまな固型がんにおいて報告されておりがん患者での血清マーカーとしての可能性も示唆されている（非特許文献４〜６）。また最近肺がんや前立腺がんにおいて複数のがん抗原に対する自家抗体を組み合わせることにより、がんの血清診断やファージペプチドディスプレイを用いた自家抗体アレイなどの開発も行われており、科学的にも注目されている（非特許文献７、８）。
【０００３】
現在、一般的に用いられている標準化方法では抗原固相化の代わりに抗ヒトＩｇＧ抗体をプレートに固相化し、測定する血清中抗原特異的ＩｇＧの代わりに標準化ヒトＩｇＧを段階希釈したものを用い測定し標準化に用いている。しかし、この方法ではプレートに固相化した捕獲抗体と検出側の抗体との交差反応により生じるバックグラウンドのため、標準化可能な抗体濃度の範囲に制限がかかるとともに、マニュアル操作では同一プレート上で測定するＩｇＧ濃度の高い血清サンプルからのＩｇＧの混入による影響を受けやすく、測定結果の再現性、信頼性が低いものであった。どの抗体価の測定系においても定性的な評価の粋を出ず、具体的な抗体価の定量・標準化する技術が必要とされていた。
【先行技術文献】
【非特許文献】
【０００４】
【非特許文献１】Regidor PA, et al. Eur J Gynaecol Oncol 17: 192-9, 1996.
【非特許文献２】Ura Y, et al. Cancer Lett 25: 283-95, 1985.
【非特許文献３】Von Mensdorff-PouillyS, et al. TumourBiol 19: 186-95, 1998.
【非特許文献４】Wollenberg B, et al. Anticancer Res 17: 413-8, 1997.
【非特許文献５】Gadducci A, Ferdeghini M, et al. Anticancer Res 18: 3763-5, 1998.
【非特許文献６】Sanchez-Carbayo M, et al. Anticaner Res 19: 3531-7, 1999.
【非特許文献７】Bradford TJ, et al. Urol Oncol 24: 237-42, 2006.
【非特許文献８】Chapman CJ, et al. Thorax 63: 228-33, 2008.
【発明の概要】
【発明が解決しようとする課題】
【０００５】
血清中の抗体価測定にダイレクトＥＬＩＳＡの系を用いる際、プレート間の差を補正するために対照となる標準化された反応系（検量線等）を同一プレート上に置く必要がある。目的の特定抗原に対し反応するモノクローナルヒト抗体を入手できれば対照としての検量線の作成が可能だが、現状では入手不可能であるため、反応系を模倣した代用の対照標準化反応系が必要になる。本発明の課題は、様々ながん患者を含むヒト血清中に存在するがん抗原、又は感染症を惹起しうる病原体由来の抗原に特異的なＩｇＧ抗体価を定量し、標準化するための測定方法を提供することにある。
【課題を解決するための手段】
【０００６】
本標準化方法は検体のＩｇＧを段階希釈するのではなく、捕獲側抗体を段階希釈し、高濃度（飽和量の）ヒトＩｇＧを検体添加の段階で用いることにより捕獲抗体をヒトＩｇＧで飽和させ、検出側抗体との交差反応性、およびＩｇＧ混入による影響を無視できるようにしたものである。より具体的には、まず固相化抗原と血清中抗体の複合体を模倣するために、抗原の代わりに固相化された抗ヒト抗体と精製ヒトＩｇＧの反応を用いる。（抗原、抗体の関係性は逆向きになる。）この際、固相化された抗ヒト抗体に精製ヒトＩｇＧの濃度系列物を添加するのではなく、抗ヒト抗体の濃度系列を作製し固相化したものに過剰量の精製ヒトＩｇＧを添加し飽和させた複合体を生成させる。この操作は、後で用いる標識抗ヒト抗体と固相化抗ヒト抗体の交差反応によるバックグラウンドの上昇を避けるためである。プレートウェルへの血清もしくは精製ヒトＩｇＧの添加後は酵素標識抗ヒト抗体、発色基質を測定ウェル、対照ウェルともに同様に加えて反応させ、吸光度を測定する。血清中の抗原特異的抗体が十分に希釈され、Ｏ．Ｄ．が１を超えない条件下ではサンプル、対照ともに濃度とＯ．Ｄ．が一次式の反応を示すことを実験により確認しており、以下の式で抗体価を相対化することが出来る。
血清サンプルＯ．Ｄ．の指数化
(指数値)＝標準線の傾き(固相化時の抗体の濃度(μg/ml)/Ｏ．Ｄ．)×(血清 Ｏ．Ｄ．)×(血清希釈倍率)
【０００７】
すなわち本発明は（１）（１ａ）抗原の代わりに使用する抗ヒト抗体を段階希釈し、抗ヒト抗体の濃度系列を作製して、各々固相化した複数の捕獲側抗体プレートを調製する工程；（１ｂ）抗原タンパク質を固相化した複数の抗原固定プレートを調製する工程；（２ａ）過剰量（飽和量）のヒトＩｇＧを用いることにより、工程（１ｂ）で調製した捕獲側抗体プレート上の捕獲側抗体をヒトＩｇＧで飽和させ、洗浄してヒトＩｇＧ−捕獲側抗体複合体を調製する工程；（２ｂ）段階希釈したサンプルを、工程（１ａ）で調製した抗原固定プレートに接触させ、サンプル中の標的抗体を抗原タンパク質と反応させ、洗浄して標的抗体−抗原複合体を調製する工程；（３ａ）工程（１ｂ）で使用した抗ヒト抗体とエピトープを異にした抗ヒト抗体を標識した酵素標識抗ヒト抗体を、工程（２ａ）で調製したヒトＩｇＧ−捕獲側抗体複合体と反応させ、洗浄して酵素標識抗ヒト抗体−ヒトＩｇＧ−捕獲側抗体複合体を調製する工程；（３ｂ）工程（３ａ）で使用した酵素標識抗ヒト抗体を、工程（２ｂ）で調製した標的抗体−抗原複合体と反応させ、洗浄して酵素標識抗ヒト抗体−標的抗体−抗原複合体を調製する工程；（４ａ）工程（３ａ）で調製した酵素標識抗ヒト抗体−ヒトＩｇＧ−捕獲側抗体複合体に基質を添加して反応後、吸光度を測定し、捕獲側抗体と吸光度との標準曲線を作成する工程；（４ｂ）工程（３ｂ）で調製した酵素標識抗ヒト抗体−標的抗体−抗原複合体に基質を添加して反応後、吸光度を測定し、吸光度の測定結果と工程（４ａ）で作成した標準曲線から、サンプル中の標的抗体の抗体価を定量する工程；を備えた抗原特異的な抗体価の標準化された測定方法や、（２）サンプル中の標的抗体が、血清中に存在するがん抗原又は感染症を惹起しうる病原体由来の抗原に特異的なＩｇＧ抗体であることを特徴とする前記（１）記載の測定方法に関する。
【発明の効果】
【０００８】
本発明の抗体価の測定・標準化法により、適切な抗原タンパクが取得できればすべてのがん抗原や病原体由来の抗原に対する血清抗体価（患者または健常人）を測定評価することが可能となる。これにより抗体価の上昇している症例を選択し、その抗体陽性のＢ細胞を分離することによりヒト抗体の遺伝子配列の取得が極めて効率的に施行できる可能性がある。またがんや感染症のワクチン療法（ペプチド、樹状細胞その他）における治療効果を判定しうる診断技術（測定キット）として汎用化することも可能となる。以上の結果を検討すると本抗体価測定技術は、バイオサイエンスの発展に寄与しうる優れたツールとなりうる。
【図面の簡単な説明】
【０００９】
【図１】本発明の、患者の血清に含まれる特定の抗原に対するＩｇＧの力価（抗体価）を測定／標準化する方法の概略を示す図である。この図では、患者の血清に含まれる特定の抗原の例として、ＣＭＶ−ｐｐ６５タンパク質を用いている。
【図２】本発明の方法を確立するために行った条件検討の実験結果を示す図である。Ａ）標準曲線作成用の飽和量のヒトＩｇＧ添加量を検討した結果である。固相化抗ヒトＩｇＧウサギ抗体に異なる濃度のヒトＩｇＧ標準品を添加し、１００μｇ／ｍｌで飽和することを確認した。Ｂ）０〜２００ｎｇ／ｍｌの固相化抗ヒトＩｇＧウサギ抗体に、１００μｇ／ｍｌのヒトＩｇＧ標準品を反応させた結果、得られる吸光度と固相化抗体濃度の間に正の相関が認められることを確認した。
【図３】ウエスタンブロット法を用いて、メラノーマ患者由来の血清中の抗ＣＭＶ−ｐｐ６５抗体を検出した結果を示す図である。図中、「精製ＣＭＶ−ｐｐ６５」はバキュロウイルスにて発現させたＣＭＶ−ｐｐ６５タンパク質を、「ＣＭＶ−ｐｐ６５発現ＨＦ細胞ライセート」は、ＣＭＶ−ｐｐ６５タンパク質を発現させたＨｉｇｈＦｉｖｅ昆虫細胞の細胞抽出液を示す。
【図４】本発明の方法を用いて測定可能な血清の希釈倍率を検討した結果を示す図である。
【図５】本発明の方法を用いて、メラノーマ患者３１例と健常人１０例の血清中のＣＭＶｐｐ６５抗原に対するＩｇＧ抗体価を測定した結果を示す図である。
【図６】本発明の方法を用いて、メラノーマ患者３１例と健常人１１例の血清中のメラノーマ特異抗原（ＭＡＧＥ１、ＭＡＧＥ２、ＭＡＧＥ３）に対するＩｇＧ抗体価を測定した結果を示す図である。
【図７】本発明の方法を用いて、メラノーマ患者２７例における樹状細胞ワクチン前後でのメラノーマ抗原に対するＩｇＧ抗体価の変化を測定した結果を示す図である。
【発明を実施するための形態】
【００１０】
本発明の抗原特異的な抗体価の標準化された測定方法としては、
（１ａ）抗原の代わりに使用する抗ヒト抗体を段階希釈し、抗ヒト抗体の濃度系列を作製して、各々固相化した複数の捕獲側抗体プレートを調製する工程；
（１ｂ）抗原タンパク質を固相化した複数の抗原固定プレートを調製する工程；
（２ａ）過剰量（飽和量）のヒトＩｇＧ標準品を用いることにより、工程（１ａ）で調製した捕獲側抗体プレート上の捕獲側抗体をヒトＩｇＧで飽和させ、洗浄してヒトＩｇＧ標準品−捕獲側抗体複合体を調製する工程；
（２ｂ）段階希釈したサンプルを、工程（１ｂ）で調製した抗原固定プレートに接触させ、サンプル中の標的抗体を抗原タンパク質と反応させ、洗浄して標的抗体−抗原複合体を調製する工程；
（３ａ）工程（１ａ）で使用した抗ヒト抗体とエピトープを異にした抗ヒト抗体を標識した酵素標識抗ヒト抗体を、工程（２ａ）で調製したヒトＩｇＧ−捕獲側抗体複合体と反応させ、洗浄して酵素標識抗ヒト抗体−ヒトＩｇＧ−捕獲側抗体複合体を調製する工程；
（３ｂ）工程（３ａ）で使用した酵素標識抗ヒト抗体を、工程（２ｂ）で調製した標的抗体−抗原複合体と反応させ、洗浄して酵素標識抗ヒト抗体−標的抗体−抗原複合体を調製する工程；
（４ａ）工程（３ａ）で調製した酵素標識抗ヒト抗体−ヒトＩｇＧ−捕獲側抗体複合体に基質を添加して反応後、吸光度を測定し、捕獲側抗体と吸光度との標準曲線を作成する工程；
（４ｂ）工程（３ｂ）で調製した酵素標識抗ヒト抗体−標的抗体−抗原複合体に基質を添加して反応後、吸光度を測定し、吸光度の測定結果と工程（４ａ）で作成した標準曲線から、サンプル中の標的抗体の抗体価を定量する工程；
の工程（１ａ）〜（４ｂ）を備えた、ＥＬＩＳＡ（Enzyme Linked Immuno-Sorbent Assay）法であれば特に制限されるものではなく、（１ａ）及び（１ｂ）の後に、さらにブロッキング工程を含むものであってもよい。本発明に用いるサンプルとしては、特に制限されるものではないが、例えば、被検者から採取した血液（血清又は血漿）、唾液、組織又は細胞抽出液などを具体的に挙げることができるが、なかでも、血清を用いることが好ましい。
【００１１】
上記抗原としては特に制限されるものではないが、がん抗原ポリペプチド又はがん抗原タンパク質であることが好ましく、例えば、ＭＡＧＥ１、ＭＡＧＥ２、ＭＡＧＥ３等を好適に挙げることができ、上記抗ヒトＩｇＧ抗体としては特に制限されるものではなく、ポリクローナル抗体であってもモノクローナル抗体であってもよいが、異なるエピトープに対する２種類の抗ヒトＩｇＧ抗体を、それぞれ捕獲側抗体（固相化抗体）、検出用抗体として用いる必要がある。また、上記ブロッキング工程に用いるブロッキング剤としては、ＥＬＩＳＡ法において通常用いられるものであれば特に制限されるものではなく、例えば、ウシ血清アルブミン、カゼイン、スキムミルク、ゼラチン等を挙げることができ、０．１〜１０％ウシ血清アルブミン溶液、０．１〜１％カゼイン溶液として使用することができる。
【００１２】
上記酵素標識ヒトＩｇＧ抗体としては、特に制限されるものではないが、例えば、ビオチン標識抗ヒトＩｇＧ抗体や、アルカリフォスファターゼ標識ヒトＩｇＧ抗体、ホースラディッシュペルオキシダーゼ（ＨＲＰ）標識ヒトＩｇＧ抗体などを具体的に挙げることができるが、なかでも、ＨＲＰ標識ヒトＩｇＧ抗体であることが好ましい。酵素の基質としては、アルカリフォスファターゼに対する基質としてｐ−ニトロフェニルリン酸を、ＨＲＰに対する基質としてトリメチルベンジジン又はルトフェニレンジアミンを使用することができる。
【００１３】
以下、実施例により本発明をより具体的に説明するが、本発明の技術的範囲はこれらの例示に限定されるものではない。
【実施例１】
【００１４】
＜抗原特異的ＩｇＧ抗体力価測定の標準化法の確立＞
がん抗原の一種であるＣＭＶ−ｐｐ６５タンパク質に対するＩｇＧの抗体価を、以下のＥＬＩＳＡ法により測定し標準化した。
１．固相化プレートの作製
抗原タンパク質（ＣＭＶ−ｐｐ６５タンパク質）を、ＰＢＳ又は塩化ナトリウムを１Ｍ含むＰＢＳで１００ｎｇ／ｍｌとなるように希釈し、９６穴アッセイプレート（ＩＷＡＫＩ社製）の３〜１２列に１００μｌ／ウェルずつ分注した。また、上記プレートの１及び２列目には、標準曲線作成のために、ＰＢＳで２００ｎｇ／ｍｌから逐次的２倍希釈した抗ヒトＩｇＧウサギ抗体（Dako cytomation社製）を、１００μｌ／ウェル（９６穴プレートの）ずつ分注した。３７℃で１時間インキュベートした後、さらに、４度で一晩インキュベートすることによりそれぞれのタンパク質を固相化した。固相化後のプレートを洗浄バッファー（０．０５％Ｔｗｅｅｎ−２０を含むＰＢＳ）で３回洗浄した後、２００μｌ／ウェルの飽和バッファー（３％ＢＳＡを含むＰＢＳ）を分注し、室温で２時間インキュベートすることによりブロッキングした。なお、上記の標準曲線用のヒトＩｇＧ添加量については、固相化したウサギ抗ヒトＩｇＧ抗体に対して飽和量となる量をあらかじめ検討し、図２Ａに示すように１００μｇ／ｍｌで吸光度が飽和することを確認している。
【００１５】
２．サンプルの測定
測定検体を、飽和バッファーで１／１０から逐次的１０倍に希釈し、固相化プレートの３〜１２列目（ＣＭＶ−ｐｐ６５タンパク質を固相化したウェル）に１００μｌ／ウェルずつ分注した。一方、固相化プレートの１、２列目（抗ヒトＩｇＧウサギ抗体を固相化したウェル）には、１００μｇ／ｍｌに希釈したヒトＩｇＧ標準品（ＳＩＧＭＡ社製）を１００μｌ／ウェルずつ分注した。プレートを室温で１時間インキュベートした後、洗浄バッファーで５回洗浄した。続いて、飽和バッファーで１０００倍に希釈したホースラディッシュペルオキシダーゼ（ＨＲＰ）標識抗ヒトＩｇＧヒツジ抗体（ＧＥヘルスケアバイオサイエンス社製）を、全てのウェルに１００μｌ／ウェルずつ加え、室温で１時間インキュベートした。その後、洗浄バッファーで７回洗浄し、基質液（TMB substrate reagent set；BD Biosciences社製）を、全てのウェルに１００μｌ／ウェルずつ加え、３７℃で３０分間インキュベートした。２Ｍ硫酸水溶液を５０μｌ／ウェルずつ添加して発色反応を停止させ、各ウェルの吸光度をプレートリーダー（ImmunoMini NJ-2300；バイオテック社製）を用いて４５０ｎｍと６２０ｎｍで測定した。
３．データの解析
図２Ｂに示すように、固相化した抗ヒトＩｇＧウサギ抗体の濃度と、得られた吸光度の間には正の相関が認められた。標準化用に固相化した抗ヒトＩｇＧウサギ抗体濃度希釈系列（≒固定化されたヒトＩｇＧ抗体量）と吸光度より一次の近似式を作成し、測定検体の吸光度を式に代入し抗原特異的ＩｇＧの抗体価を定量的に算出し、指数化したものをデータとして使用した。
【実施例２】
【００１６】
＜ヒト血清中の特定抗原に対するＩｇＧの抗体価の測定・標準化＞
１．ヒト血清の採取
メラノーマ患者の臨床検体を用いた研究は、国立がんセンター及び静岡がんセンターの倫理審査委員会において承認済みである。また、採血は、全てのメラノーマ患者及び健常人からインフォームドコンセントを得た上で行った。
【００１７】
２．ＣＭＶ−ｐｐ６５抗原に対するＩｇＧ抗体価測定
まず、患者血清中にＣＭＶ−ｐｐ６５に対するＩｇＧが含まれるかどうかを検討する目的で、患者由来血清を１次抗体に使用したWestern blotting解析を行った。バキュロウイルスにて発現させたＣＭＶ−ｐｐ６５タンパク質、又は、ＣＭＶ−ｐｐ６５タンパク質を発現させたＨｉｇｈＦｉｖｅ昆虫細胞の細胞抽出液を電気泳動により分画してブロットした後、９例の患者由来血清（Ｍ１、Ｍ２、Ｍ３、Ｍ５、Ｍ６、Ｍ７、Ｍ９、Ｍ１８、ＭＳ７）を１次抗体として反応させた。その結果、図３に示すように、４症例（Ｍ５、Ｍ６、Ｍ１８、ＭＳ７）由来の血清により強い反応シグナルが検出されたことから、これらの血清中にＣＭＶ−ｐｐ６５に特異的な抗体が含まれていることが示された。
【００１８】
次に、実施例１で確立したＥＬＩＳＡ法に用いる血清の最適希釈濃度を検討する目的で、ＣＭＶ−ｐｐ６５タンパク質を固相化したアッセイプレートに、一次抗体として上記の２症例（Ｍ１８、ＭＳ７）由来の血清を、二次抗体としてＨＲＰ標識抗ヒトＩｇＧヒツジ抗体を反応させ、吸光度を測定した。図４に結果を示すように、患者血清の希釈倍率は、５０〜１００００倍で測定が可能であることが明らかとなった。
【００１９】
実施例１で確立した方法を用いて、メラノーマ患者３１例と健常人１０例の血清中のＣＭＶ−ｐｐ６５抗原に対するＩｇＧ抗体価を測定・標準化した。その結果、図５に示すように、カットオフ値を１とするとメラノーマ患者３１例中２３例で抗体価の上昇を認めた。一方、健常人では、明らかな陽性は１０例中４例のみであった。
【００２０】
実施例１で確立した方法を用いて、メラノーマ患者３１例と健常人１１例の血清中のメラノーマ特異抗原（ＭＡＧＥ１、ＭＡＧＥ２、ＭＡＧＥ３）に対するＩｇＧ抗体価を測定・標準化した。各メラノーマ抗原１００ｎｇ／ｍｌ、陰性コントロールとしてＧＳＴタンパク質を使用した。一番上のデータは抗原を固相化しないバックグラウンドの数値を示す。ＭＡＧＥ１及びＭＡＧＥ２は全長を、ＭＡＧＥ３は部分配列（４４−１１４ａａ）を有する組換えタンパク質を固相化抗原として使用した。その結果、図６に示すように、カットオフ値を１とすると３１例中１５例が抗体陽性であった。ＭＡＧＥ２に対する抗体価は、同様に１０例、ＭＡＧＥ３に対する抗体価は１例のみが陽性であった。一方で健常人でもこれらの抗原に対する抗体陽性例が数例に認められた。
【００２１】
実施例１で確立した方法を用いて、メラノーマ患者２７例における樹状細胞ワクチン前後でのメラノーマ抗原に対するＩｇＧ抗体価の推移を測定・標準化した。静岡がんセンター倫理審査委員会にて承認された「悪性黒色腫に対する樹状細胞を用いた腫瘍特異的免疫療法」の臨床試験において、樹状細胞ワクチンの投与をうけたメラノーマ２７症例においてワクチン投与前（Ｐｒｅ）、ワクチン４回投与後（Ｐｏｓｔ）、６−８回投与後（Ｐｏｓｔ１）、１０回投与後（Ｐｏｓｔ２）の各時期に患者より血清を採取し、実験に用いた。なお、上記樹状細胞ワクチンは、樹状細胞をＭＡＧＥ１、ＭＡＧＥ２、ＭＡＧＥ３、Ｔｙｒｏｓｉｎａｓｅ等のメラノーマ抗原ペプチドに感作させたものを使用した。図７に示すように、樹状細胞ワクチン投与を受けた転移性メラノーマ患者における、ワクチン投与の前後でのメラノーマ抗原に対する血清中のＩｇＧ抗体価を測定した結果、ワクチン投与後にＩｇＧ抗体価が２倍以上の増加を認めた症例は、ＭＡＧＥ１で４例、ＭＡＧＥ２で４例、ＭＡＧＥ３で５例、ｔｙｒｏｓｉｎａｓｅで７例であった。また、臨床効果（腫瘍の縮小）を認めた症例（ＭＥＬ００１、ＭＥＬ０１８）では、すべての抗体価がワクチン後に上昇が認められた。
【図１】
2010237126.tif 000003
【図２】
2010237126.tif 000004
【図４】
2010237126.tif 000005
【図６】
2010237126.tif 000006
【図３】
2010237126.tif 000007
【図５】
2010237126.tif 000008
【図７】
2010237126.tif 000009